【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
画像形成装置の排紙部から排紙されるシートに対して後処理を行う装置であり、
前記排紙部から第１方向へ排紙されるシートが収容される第１トレイと、
前記第１トレイの上で前記第１方向と交差する第２方向へ移動して、前記第１トレイに収容されたシートを前記第２方向へ押し出し、当該シートを押し出した後に前記第１トレイの上から退避する押出部材と、
前記押出部材によって前記第１トレイから押し出されたシートが積載される第２トレイと、
前記排紙部から新たに排紙されたシートの少なくとも一部を前記押出部材の上方で保持することにより当該シートを、前記押出部材に押し出されない位置に待機させ、前記押出部材が前記第１トレイの上から退避する時点以後に当該シートを前記第１トレイに収容させる第１ガイド部材と、
前記第１トレイに対して前記排紙部とは反対側に位置し、前記第１トレイに収容されたシートを加工する加工部と、
前記第１トレイに収容されたシートを前記第１方向へ搬送する搬送部材と、
を備え、
前記第１ガイド部材は、保持しているシートを前記第１トレイへ移動させた後、前記押出部材が前記第１トレイの上を次に移動し始めるまで前記第１トレイの上方に位置して、前記搬送部材によって搬送されるシートが前記加工部から逸れるのを阻止する
ことを特徴とする後処理装置。
【請求項２】
前記第１ガイド部材は、前記押出部材が前記第１トレイの上を移動する間、保持すべきシートの下に位置し、当該シートを前記第１トレイへ移動させる際、当該シートの下から退避する
ことを特徴とする請求項１に記載の後処理装置。
【請求項３】
前記第１ガイド部材は、保持しているシートを前記第１トレイへ移動させる動作を、前記押出部材が前記第１トレイの上から退避する動作に連動させる
ことを特徴とする請求項１または請求項２に記載の後処理装置。
【請求項４】
前記第１ガイド部材は、保持しているシートを前記第１トレイへ移動させた後、前記押出部材が前記第１トレイの上を次に移動し始めるまで前記第１トレイの上方に位置して、前記排紙部から新たに排紙されるシートが前記第１トレイの上方へ逸れるのを阻止する
ことを特徴とする請求項１から請求項３までのいずれか１項に記載の後処理装置。
【請求項５】
前記第１ガイド部材は前記第１方向の端部のうち、前記排紙部に近い方を前記第１方向に対して傾斜させることが可能であり、前記排紙部に近い方の端部の傾きを、前記排紙部から排紙されるシートが前記第１トレイに収容されるときと、前記排紙部から排紙されるシートが待機するときとで異なる角度に変更する
ことを特徴とする請求項４に記載の後処理装置。
【請求項６】
前記搬送部材は、前記第１トレイに対して前記排紙部と同じ側に位置し、前記第１方向へ移動することで、前記第１トレイに収容されたシートを前記第１方向へ搬送することを特徴とする請求項１から請求項５までのいずれか１項に記載の後処理装置。
【請求項７】
前記第１ガイド部材は、
前記第１トレイの上方において前記加工部と隣接する領域に配置可能であり、前記領域に配置されたときに前記加工部との間に、前記排紙部から排紙されるシートが入り込めない程度の隙間しか開かない形状を持つガイド面
を含む請求項１から請求項６までのいずれか１項に記載の後処理装置。
【請求項８】
前記第１ガイド部材は、保持しているシートを前記第１トレイへ移動させた後、前記押出部材が前記第１トレイの上を次に移動し始めるまで前記第１トレイの上方に位置し、前記ガイド面を利用して、前記排紙部から排紙されるシートが前記加工部から逸れるのを阻止する
ことを特徴とする請求項７に記載の後処理装置。
【請求項９】
前記第１トレイは前記第１方向に対する傾きを、前記排紙部から排紙されるシートを収容する期間と、前記押出部材が前記第１トレイの上を移動する期間とで異なる角度に変更可能であり、
前記第１ガイド部材は、前記押出部材が前記第１トレイの上から退避したとき、次に前記第１トレイが前記第１方向に対する傾きを変更する動作に連動して前記第１トレイの上方へ移動する
ことを特徴とする請求項１から請求項８までのいずれか１項に記載の後処理装置。
【請求項１０】
前記排紙部から排紙されたシートを前記押出部材の上方へ移動させるための第２ガイド部材
を更に備え、
前記第１トレイは前記第１方向に対する傾きを、前記排紙部から排紙されるシートを収容する期間と、前記押出部材が前記第１トレイの上を移動する期間とで異なる角度に変更可能であり、
前記第２ガイド部材は、前記排紙部から排紙されるシートを前記第１トレイが収容する期間では当該シートの移動を妨げず、当該期間が終了したとき、次に前記第１トレイが前記第１方向に対する傾きを変更する動作に連動して、前記排紙部から排紙されたシートを前記押出部材の上方へ移動させる動作を開始する
ことを特徴とする請求項１から請求項９までのいずれか１項に記載の後処理装置。
【請求項１１】
前記第１トレイは、
前記押出部材が前記第１トレイの上を移動する間前記第１トレイの上に位置して、前記第１トレイに収容されたシートを前記第１方向またはその逆方向へ逸れないように保持すると共に、前記排紙部から新たに排紙されるシートを前記押出部材の上方へ逸らして、当該シートが、前記第１トレイに収容されたシートに接触するのを阻止し、前記押出部材が前記第１トレイの上から退避する時点以後に前記第１トレイの上から退避する保持部材
を含む請求項１から請求項１０までのいずれか１項に記載の後処理装置。
【請求項１２】
前記保持部材は、前記押出部材の上方へ逸らすべきシートと接触する部分に、
シートに対する摩擦係数がシート間の摩擦係数よりも高い高摩擦部材
を含む請求項１１に記載の後処理装置。
【請求項１３】
前記保持部材によって前記押出部材の上方へ逸らされたシートの表面を前記保持部材に向けて加圧する付勢部材
を更に備えた請求項１１または請求項１２に記載の後処理装置。
【請求項１４】
前記第２方向は前記第１方向と直交する
ことを特徴とする請求項１から請求項１３までのいずれか１項に記載の後処理装置。
【請求項１５】
シートに画像を形成する画像形成部と、
前記画像形成部によって画像が形成されたシートを排紙する排紙部と、
を有する画像形成装置に、
前記排紙部から排紙されるシートに対して後処理を行う後処理装置、
を加えた画像形成システムであり、
前記後処理装置は、
前記排紙部から第１方向へ排紙されるシートが収容される第１トレイと、
前記第１トレイの上で前記第１方向と交差する第２方向へ移動して、前記第１トレイに収容されたシートを前記第２方向へ押し出し、当該シートを押し出した後に前記第１トレイの上から退避する押出部材と、
前記押出部材によって前記第１トレイから押し出されたシートが積載される第２トレイと、
前記排紙部から新たに排紙されたシートの少なくとも一部を前記押出部材の上方で保持することにより当該シートを、前記押出部材に押し出されない位置に待機させ、前記押出部材が前記第１トレイの上から退避する時点以後に当該シートを前記第１トレイに収容させる第１ガイド部材と、
前記第１トレイに対して前記排紙部とは反対側に位置し、前記第１トレイに収容されたシートを加工する加工部と、
前記第１トレイに収容されたシートを前記第１方向へ搬送する搬送部材と、
を備え、
前記第１ガイド部材は、保持しているシートを前記第１トレイへ移動させた後、前記押出部材が前記第１トレイの上を次に移動し始めるまで前記第１トレイの上方に位置して、前記搬送部材によって搬送されるシートが前記加工部から逸れるのを阻止する
ことを特徴とする画像形成システム。
【手続補正２】
【補正対象書類名】明細書
【補正対象項目名】０００７
【補正方法】変更
【補正の内容】
【０００７】
本発明の１つの観点における後処理装置は、画像形成装置の排紙部から排紙されるシートに対して後処理を行う装置であり、排紙部から第１方向へ排紙されるシートが収容される第１トレイと、その第１トレイの上で第１方向と交差する第２方向へ移動して、第１トレイに収容されたシートを第２方向へ押し出し、そのシートを押し出した後に第１トレイの上から退避する押出部材と、その押出部材によって第１トレイから押し出されたシートが積載される第２トレイと、排紙部から新たに排紙されたシートの少なくとも一部を押出部材の上方で保持することによりそのシートを、押出部材に押し出されない位置に待機させ、押出部材が第１トレイの上から退避する時点以後にそのシートを第１トレイに収容させる第１ガイド部材と、第１トレイに対して排紙部とは反対側に位置し、第１トレイに収容されたシートを加工する加工部と、第１トレイに収容されたシートを第１方向へ搬送する搬送部材と、を備える。第１ガイド部材は、保持しているシートを第１トレイへ移動させた後、押出部材が第１トレイの上を次に移動し始めるまで第１トレイの上方に位置して、搬送部材によって搬送されるシートが加工部から逸れるのを阻止する。
【手続補正３】
【補正対象書類名】明細書
【補正対象項目名】０００９
【補正方法】変更
【補正の内容】
【０００９】
第１ガイド部材は第１方向の端部のうち、排紙部に近い方を第１方向に対して傾斜させることが可能であり、排紙部に近い方の端部の傾きを、排紙部から排紙されるシートが第１トレイに収容されるときと、排紙部から排紙されるシートが待機するときとで異なる角度に変更してもよい。
第１ガイド部材は、第１トレイの上方において加工部と隣接する領域に配置可能であり、その領域に配置されたときに加工部との間に、排紙部から排紙されるシートが入り込めない程度の隙間しか開かない形状を持つガイド面を含んでいてもよい。第１ガイド部材は更に、保持しているシートを第１トレイへ移動させた後、押出部材が第１トレイの上を次に移動し始めるまで第１トレイの上方に位置し、上記のガイド面を利用して、排紙部から排紙されるシートが加工部から逸れるのを阻止してもよい。また、搬送部材は、第１トレイに対して排紙部と同じ側に位置し、第１方向へ移動することで、第１トレイに収容されたシートを第１方向へ搬送してもよい。
【手続補正４】
【補正対象書類名】明細書
【補正対象項目名】００１２
【補正方法】変更
【補正の内容】
【００１２】
第１トレイに収容されたシートが押し出される第２方向は、排紙部からシートが排紙される第１方向と直交してもよい。
本発明の１つの観点による画像形成システムは、シートに画像を形成する画像形成部と、その画像形成部によって画像が形成されたシートを排紙する排紙部とを有する画像形成装置に、排紙部から排紙されるシートに対して後処理を行う後処理装置を加えたものである。この後処理装置は、排紙部から第１方向へ排紙されるシートが収容される第１トレイと、その第１トレイの上で第１方向と交差する第２方向へ移動して、第１トレイに収容されたシートを第２方向へ押し出し、そのシートを押し出した後に第１トレイの上から退避する押出部材と、その押出部材によって第１トレイから押し出されたシートが積載される第２トレイと、排紙部から新たに排紙されたシートの少なくとも一部を押出部材の上方で保持することによりそのシートを、押出部材に押し出されない位置に待機させ、押出部材が第１トレイの上から退避する時点以後にそのシートを第１トレイに収容させる第１ガイド部材と、第１トレイに対して排紙部とは反対側に位置し、第１トレイに収容されたシートを加工する加工部と、第１トレイに収容されたシートを第１方向へ搬送する搬送部材と、を有する。第１ガイド部材は、保持しているシートを第１トレイへ移動させた後、押出部材が第１トレイの上を次に移動し始めるまで第１トレイの上方に位置して、搬送部材によって搬送されるシートが加工部から逸れるのを阻止する。